(57)【要約】【課題】  アンテナの配線の配置スペースを確保し通信の信頼性を向上させることが可能な電子機器を提供する。【解決手段】  ヒンジ機構部２５が複数の配線（ケーブル）７１〜７４が挿通される筒状部品２６を備えるので、ヒンジ機構部２５付近で配線（ケーブル）７１〜７４の配置スペースを確保することができ、筒状部品２６を挿通する複数の配線（ケーブル）７１〜７４を表示部３の平板部５４に設けられた複数のアンテナ６１〜６４に接続することができる。この結果、指向性のよい表示部２側の位置に設けられた複数のアンテナ６１〜６４により、無線通信の信頼性を向上させることができる。【選択図】図９
2010066904.tif 000002
【特許請求の範囲】
【請求項１】
電子機器本体部と、
前記電子機器本体部と電気的に接続され、表示器と前記表示器を保持する外縁部とを有する表示部と、
前記外縁部に設けられた１以上のアンテナと、
前記１以上のアンテナと前記電子機器本体部内とを接続する１以上の配線と、
前記１以上の配線が挿通される筒状部品を有し、この筒状部品を軸体として、前記電子機器本体部に対して前記表示部を回動自在に連結するヒンジ部と
を具備する電子機器。
【請求項２】
請求項１に記載の電子機器であって、
前記１以上のアンテナは、ブルートゥース（登録商標）用のアンテナを含む
電子機器。
【請求項３】
請求項２に記載の電子機器であって、
前記ヒンジ部は、
前記筒状部品に回動自在に連結され前記表示部に一端が固定された連結部
を有する
電子機器。
【請求項４】
請求項３に記載の電子機器であって、
前記外縁部に設けられたカメラと、
前記カメラと前記電子機器本体部内とを接続する第２の配線と
を更に具備し、
前記第２の配線は、前記外縁部から前記筒状部品を通じて前記電子機器本体部内に引き回される
電子機器。
【請求項５】
請求項４に記載の電子機器であって、
前記ブルートゥース（登録商標）用のアンテナは、前記外縁部の前記表示器の側方の領域のうち前記ヒンジ部の近傍に配置されている
電子機器。
【発明の詳細な説明】
【技術分野】
【０００１】
本発明は、複数の通信用のアンテナを備えるノート型パーソナルコンピュータ等の電子機器に関する。
【背景技術】
【０００２】
パーソナルコンピュータ、携帯電話、ＰＤＡ（Personal  Digital  Assistant）等の電子機器には、所定の方式で通信を行うためのアンテナが表示パネルを有する表示部の内部に配置されているものがある（例えば特許文献１参照）。
【０００３】
このような電子機器にあっては、アンテナからの電磁波の不要輻射の抑制や表示部の強度の向上を図るために、表示パネルが配置されるパネル用筺体を金属材料によって形成する場合がある。しかし、この場合には、アンテナをパネル用筺体に配置した場合に、金属材料中を伝導するノイズの影響により受信感度の低下をきたす場合がある。
【０００４】
そこで、従来、パネル用筺体の一端部に樹脂材料によって形成されたアンテナ配置部材を取り付け、このアンテナ配置部材にアンテナを配置していた。
【特許文献１】特開２００２−３２１５０号公報（段落００４７、図１）
【発明の開示】
【発明が解決しようとする課題】
【０００５】
しかしながら、近年、通信方式の拡張により、通信方式が異なる複数のアンテナを電子機器に配置する必要性が高まっている。また、通信方式によっては同一種類のアンテナを複数、表示部側に配置する必要があり、表示部の内部に配置するアンテナの数が増加した。アンテナの数の増加に伴いアンテナから導出され電子機器の本体部に引き回される配線（ケーブル）の数も増加する。しかし、複数の配線（ケーブル）を引き回すスペースを確保することは困難であり、無理に狭いスペースに複数の配線（ケーブル）を引き回すと、接続の信頼性を確保できず、通信の信頼性が低下する、という問題がある。
【０００６】
以上のような事情に鑑み、本発明の目的は、アンテナの配線の配置スペースを確保し通信の信頼性を向上させることが可能な電子機器を提供することにある。
【課題を解決するための手段】
【０００７】
本発明に係る電子機器は、電子機器本体部と、表示部と、アンテナと、配線と、ヒンジ部とを有する。上記表示部は、上記電子機器本体部と電気的に接続され、表示器と表示器を保持する外縁部とを有する。上記アンテナは、１以上あり上記外縁部に設けられる。上記配線は、１以上あり上記１以上のアンテナと上記電子機器本体部内とを接続する。上記ヒンジ部は、上記複数の配線が挿通される筒状部品を有し、この筒状部品を軸体として、上記電子機器本体部に対して上記表示部を回動自在に連結する。
【０００８】
本発明では、ヒンジ部が複数の配線が挿通される筒状部品を有するので、ヒンジ部付近で複数の配線の配置スペースを確保することができ、筒状部品を挿通する複数の配線を表示部の外縁部に設けられた１以上のアンテナに接続することができる。この結果、表示部の外縁部に設けられた１以上のアンテナにより、通信の信頼性を向上させることができる。
【０００９】
上記１以上のアンテナは、ブルートゥース（登録商標）用のアンテナを含むようにしてもよい。  
これにより、ユーザが、電子機器本体部に対して表示部を開いた状態で電子機器を用いるときに、ブルートゥース（登録商標）用のアンテナの位置を従来より高い指向性のよい位置にすることができ、ブルートゥース（登録商標）用のアンテナの信号の受信感度を向上させることができる。
【００１０】
上記ヒンジ部は、上記筒状部品に回動自在に連結され上記表示部に一端が固定された連結部を有するようにしてもよい。  
これにより、筒状部品を回動の軸として連結部を回動することで表示部を回動させることができる。
【００１１】
上記外縁部に設けられたカメラと、上記カメラと上記電子機器本体部内とを接続する第２の配線とを更に具備し、上記第２の配線は、上記外縁部から上記筒状部品を通じて上記電子機器本体部内に引き回されるようにしてもよい。  
これにより、１以上のアンテナに加えてカメラが表示部の外縁部に配置される場合にも、カメラに接続された配線を筒状部品を通過させて電子機器本体部内に引き回すことができる。
【００１２】
上記ブルートゥース（登録商標）用のアンテナは、上記外縁部の上記表示器の側方の領域のうち上記ヒンジ部の近傍に配置されているようにしてもよい。  
これにより、ブルートゥース（登録商標）用のアンテナを外縁部のうちのヒンジ部の近傍に配置し、ブルートゥース（登録商標）用とは異なるアンテナを外縁部のうちのヒンジ部から遠い位置に配置することができる。
【発明の効果】
【００１３】
以上のように、本発明によれば、アンテナの配線の配置スペースを確保し通信の信頼性を向上させることができる。
【発明を実施するための最良の形態】
【００１４】
以下、本発明の実施の形態を図面に基づき説明する。
【００１５】
本実施形態では電子機器としてノート型のパーソナルコンピュータを一例に挙げて説明する。  
図１は本発明の一実施形態に係る電子機器の開いた状態の斜視図、図２は図１に示す電子機器の閉じた状態の斜視図である。  
電子機器１は、表示部２と、本体部３と、これら表示部２と本体部３とを回動自在に連結するヒンジ連結部４とを備えている。
【００１６】
表示部２は、ヒンジ連結部４を介して本体部３に対して開閉可能である。表示部２は、表示部２の筐体５、表示画面６と、筐体５内に設けられた表示処理を行う図示しない表示パネルとを備えている。
【００１７】
筐体５は、図示しない表示処理ユニットを収容する表示部２の外装部品である。表示画面６は、情報を表示するための画面であり、閉じた状態で本体部３に対面する。
【００１８】
本体部３は、本体部３の筐体７、キーボードユニット８、図示しない中央処理装置、図示しないハードディスク装置などの部品を備えている。
【００１９】
筐体７は、本体部３の外装部品である。キーボードユニット８は、例えば複数のキー等を備えており、電子機器１の入力部として機能する。中央処理装置は、筐体７内の多層プリント配線板に実装されている。中央処理装置は、キーボードユニット８からの入力信号を受けて、演算処理、制御処理、画像処理、表示部２への出力処理などの各種処理を行い、この電子機器１の実質的な機能上の本体として機能する。
【００２０】
ヒンジ連結部４は、ＤＣジャック部１０と、電源スイッチ１１と、本体部３に一体的に設けられたヒンジ収容部１２とを備えている。ＤＣジャック部１０は、ヒンジ連結部４の軸方向（図１のＹ方向）の左端に配置されている。電源スイッチ１１は、ヒンジ連結部４の軸方向（図１のＹ方向）の右端に配置されている。
【００２１】
図３は図１に示す電子機器１のＤＣジャック部１０付近の部分斜視図である。  
ＤＣジャック部１０は、本体部３の背面側の端部に配置されている。ＤＣジャック部１０は、外装部品であるキャップ部材１５と、キャップ部材１５に収容されたＤＣジャックコネクタ部１６とを備える。キャップ部材１５は、キャップ形状を有している。キャップ部材１５の側面５１には、略円形状の開口１７が形成されている。ＤＣジャックコネクタ部１６は、その接続端子接続部１４が開口１７から露出している。接続端子接続部１４には、図示しない電源供給用の接続端子が接続される。ヒンジ収容部１２は、略円筒形状をする。ヒンジ収容部１２の直径は、キャップ部材１５の直径と略同じである。これにより、デザイン性が向上する。
【００２２】
図４は図１に示す電子機器１のＤＣジャック部１０付近の部分斜視図である。  
ＤＣジャック部１０は、本体部３から離間して設けられている。つまり、ＤＣジャック部１０と、本体部３との間には、ギャップＧが形成されている。特に、図４に示すように、本体部３に対して表示部２を開いた状態では、ユーザは、ギャップＧを容易に見ることができる。ユーザが本体部３に対して表示部２を開閉するときには、キャップ部材１５は表示部２と一体的に回動する。このとき、キャップ部材１５内のＤＣジャックコネクタ部１６はキャップ部材１５と一体的に回動せず本体部３に固定されたまま回動しない。
【００２３】
図５は電子機器１のＤＣジャック部１０のキャップ部材１５を外した状態の部分斜視図、図６は図３に示す電子機器１のＡ−Ａ断面図である。  
ヒンジ収容部１２は円筒形状を有している。ヒンジ収容部１２は、本体部３の上面側の外装部品であるパームレスト２１と、本体部３の底面側の外装部品であるハウジングボトム２２とを組み合わせることにより構成されている。ヒンジ収容部１２内には、複数の配線（ケーブル）２３が引き回されている。これらの配線（ケーブル）２３は、図６に示すようにヒンジ機構部２５に挿通されている。
【００２４】
ヒンジ機構部２５は、ヒンジ収容部１２内に収容されている。ヒンジ機構部２５は、筒状部品２６、本体部側連結部材２７、表示部側連結部材２８を備える。  
筒状部品２６は、筒形状を有している。筒状部品２６は、複数の配線（ケーブル）２３の挿通される貫通孔２９を形成する。配線（ケーブル）２３は、本体部３内の各部に接続され、貫通孔２９を挿通され、表示部２側の各部に接続されている。筒状部品２６は、図６に示すように、円筒部２６Ａと、円筒部２６Ａの両端部に配置されたフランジ部２６Ｂとを備える。円筒部２６Ａとフランジ部２６Ｂとは一体的に形成されている。円筒部２６Ａとフランジ部２６Ｂとの境界領域にはＲ（アール）が形成されている。
【００２５】
本体部側連結部材２７の一端部は、例えばハウジングボトム２２に固定されている。本体部側連結部材２７の他端部には、筒状部品２６が挿入される貫通孔３０が形成されている。本体部側連結部材２７は、筒状部品２６をヒンジ収容部１２内の所定の位置に配置する。
【００２６】
表示部側連結部材２８は、図６に示すように、貫通孔３１が形成されている。表示部側連結部材２８の貫通孔３１内に筒状部品２６が挿入されている。表示部側連結部材２８は表示部２側に固定されている。表示部側連結部材２８は、表示部２の回動に伴い表示部２と一体的に筒状部品２６の周りに回動可能である。つまり、表示部２は、ヒンジ機構部２５の回動軸Ｙを軸として本体部３に対して回動可能である。
【００２７】
ＤＣジャック部１０は、図６に示すように、キャップ部材１５、ＤＣジャックコネクタ部１６、摺動部材３３を備える。  
キャップ部材１５は、ＤＣジャックコネクタ部１６を接続端子接続部１４を除いて包囲する。キャップ部材１５は、表示部２のトップカバー３５及びベゼル３６に固定されている。トップカバー３５とベゼル３６とによりＤＣジャックコネクタ部１６の一部を包囲する環状部９４が形成されている。つまり、表示部２は、図５、図６に示すように、表示部２から導出されＤＣジャックコネクタ部１６の外周面３８に離間して配置された環状部９４を備える。キャップ部材１５は、ＤＣジャックコネクタ部１６に環状部９４を介して設けられている。キャップ部材１５の開口１７からＤＣジャックコネクタ部１６の接続端子接続部１４が外部に露出している。
【００２８】
ＤＣジャックコネクタ部１６は、ハウジングボトム２２に固定されている。ＤＣジャックコネクタ部１６からは、ＤＣ電源供給用配線（図６では不図示）、アース配線４３が引き出されている。
【００２９】
摺動部材３３は、図６に示すようにＤＣジャックコネクタ部１６の外周面３８と、トップカバー３５の内周面３９との間に設けられている。摺動部材３３の摩擦係数は、例えばトップカバー３５及びベゼル３６の摩擦係数より小さい。摺動部材３３の構成材料には、耐疲労性、耐摩擦性に優れた例えばポリアセタール（ＰＯＭ  polyacetal）が用いられている。ポリアセタールは、バランスの取れた機械的性質を持つ結晶性樹脂で、特に耐疲労性に極めて優れている。耐摩擦、耐クリープ性、寸法安定性に優れ、吸水性も少ない性質を持っている。使用可能な温度範囲が広い（例えば−４０°Ｃ〜＋１５０°Ｃ）。
【００３０】
図７は電子機器１のヒンジ機構部２５の六面図である。図７（Ａ）〜（Ｆ）は、それぞれヒンジ機構部２５の平面図、左側面図、正面図、右側面図、背面図及び底面図である。  
筒状部品２６は、図７（Ｂ）及び図６に示すように筒形状を有し、貫通孔２９が形成されている。筒状部品２６には、本体部側連結部材２７と、表示部側連結部材２８とが図７（Ｃ）に示す回動軸Ｙを回動軸として回動自在に連結されている。本体部側連結部材２７は、図７（Ａ）に示す複数の孔９６を用いて本体部３側に固定される。本体部側連結部材２７は、図７（Ｂ）に示すように段差部４７を有する。なお、孔９６の数や位置、及び段差部４７の形状などは本体部３側の形状に合わせて適宜変更される。表示部側連結部材２８は、図７（Ｃ）に示す複数の穴９７を用いて表示部２側に固定される。本体部側連結部材２７の長さと、表示部側連結部材２８の長さとは略同じ長さ、略同じ幅、略同じ厚さになっている。本体部側連結部材２７及び表示部側連結部材２８の構成材料は金属材料が用いられている。これにより、本体部３に対して表示部２が回動するときのヒンジ機構部２５の強度が確保される。
＜表示部２の構成＞  
図８は表示部３の分解斜視図である。  
表示部３は、ベゼル３６、表示パネル３７、トップカバー３５、外枠３９及び図８では図示しないアンテナ等を備える。表示部３は、これらの各部材が組み合わされて一体的に構成される。
【００３１】
ベゼル３６は、枠形状を有する。ベゼル３６の下端左端には、図５に示す環状部９４の半分の部分を構成する略Ｕ字形状のヒンジ用突部４０が突出されている。ベゼル３６の下端右側にも同様にヒンジ用突部４１が形成されている。ベゼル３６の底面（図８では見えない面）には、図示しない係合部が形成されている。この図示しない係合部は、外枠３９に形成された係合部５６と係合する。これにより、ベゼル３６と、外枠３９とがネジ等の金属部材を用いることなく組み合わされている。
【００３２】
表示パネル３７は、例えばＬＣＤ（Ｌｉｑｕｉｄ  Ｃｒｙｓｔａｌ  Ｄｉｓｐｌａｙ）等の表示装置である。表示パネル３７は、その下端に横長の制御基板９１が取り付けられている。制御基板９１は、表示パネル３７の駆動制御を行う。表示パネル３７は、表面側に設けられた表示画面６を備える。表示パネル３７がベゼル３６に組み合わされて、表示画面６がベゼル３６から露出する。
【００３３】
トップカバー３５は、表示パネル３７をその背面側から覆う略矩形状のベース部４５と、ベース部４５の周りに設けられた略矩形枠形状のフレーム部４６とを備える。トップカバー３５のベース部４５と、フレーム部４６とは、例えばインサート形成により一体的に形成されている。トップカバー３５は、例えばカーボン材料を含む樹脂材料により形成されている。
【００３４】
ベース部４５は、表示パネル３７より一回り大きい矩形平板形状を有する。ベース部４５に表示パネル３７が配置される。ベース部４５は、カーボン材料によって高い剛性が確保されている。
【００３５】
フレーム部４６は、矩形枠形状を有する。フレーム部４６には、ベース部４５に対して直交する方向に突出する複数の壁４８が設けられている。壁４８には、壁の高さが低くなる凹部４９が形成されている。表示パネル３７が壁４８の内側に配置されトップカバー３５に取り付けられる。フレーム部４６には、複数の位置決め孔５０が形成されている。フレーム部４６には、ベゼル３６と結合するための係合部９２が所定の位置に複数個形成されている。フレーム部４６の下端側の両端付近には、図５に示す環状部９４の半分の部分を構成する略Ｕ字形状のヒンジ用突部６０が形成されている。フレーム部４６の上端の左右方向（図８のＸ方向）中央部には、カメラ取付部５２が形成されている。カメラ取付部５２には、後述するようにカメラが取り付けられる。フレーム部４６のカメラ取付部５２の隣には、横長の端子取付部５３が複数個、離間して設けられている。フレーム部４６には、端子取付部８１、８２、８３が離間して設けられている。
【００３６】
外枠３９は、３個の辺縁部を有する枠形状を有し、樹脂材料により一体的に形成されている。所定の幅で枠の内側に設けられた外縁部としての平板部５４と、平板部５４の外周に設けられ平板部５４に対して直交する方向に突出して設けられた壁部５５とを備える。
【００３７】
平板部５４には、複数の位置決めピン５７が突出して設けられている。これらの位置決めピン５７は、トップカバー３５の位置決め孔５０に嵌り、表示パネル３７に対して位置決めされる。平板部５４には、所定の位置に複数の係合部５８が形成されている。これらの係合部５８は、それぞれトップカバー３５の凹部４９に係合される。これにより、トップカバー３５と外枠３９とが結合される。つまり、トップカバー３５と、外枠３９とは、金属製のネジ等を用いずに結合されている。平板部５４は、上部平板部５４Ａと、側部平板部５４Ｂと、側部平板部５４Ｃとを備える。上部平板部５４Ａは、表示パネル３７の制御基板９１側とは反対側の上部の近傍に配置され、横長の形状を有する。側部平板部５４Ｂは、表示パネル３７の一方の側辺の近傍に配置される。側部平板部５４Ｃは、表示パネル３７の他方の側辺の近傍に配置される。上部平板部５４Ａ、側部平板部５４Ｂ及び５４Ｃには、後述するように複数のアンテナ等が取り付けられる。
【００３８】
＜アンテナの配置構成＞  
図９は表示部２から図８に示すベゼル３６を取り外した状態の斜視図、図１０はヒンジ機構部２５の付近の拡大斜視図である。  
外枠３９の平板部５４には、アンテナ６１、６２、６３、６４、６５及び６６が設けられている。アンテナ６１、６２、６３、６４、６５及び６６は、それぞれ互いに離間して平板部５４に取り付けられている。
【００３９】
アンテナ６１は、ブルートゥース（登録商標）用のアンテナである。アンテナ６２は、ワイヤレスラン（Ｗｌａｎ  Wireless LAN）用のアンテナである。アンテナ６３及び６４は、ワイヤレスラン／ワイマックス（Wireless LAN／Worldwide Interoperability for Microwave Access）用のアンテナである。アンテナ６５は、ワン（メイン  ＷＡＮ）用のアンテナである。アンテナ６６は、例えばワンセグ用のアンテナである。トップカバー３５のカメラ取付部５２には、カメラユニット６７が取り付けられている。
【００４０】
ブルートゥース（登録商標）用のアンテナ６１は、側部平板部５４Ｂでヒンジ機構部２５の近くに取り付けられている。例えば側部平板部５４Ｂの高さ方向（図９のＺ方向）で下側の位置にアンテナ６１が取り付けられている。ブルートゥース（登録商標）用のアンテナ６１は、接地用の金属端子６１ａを備える。金属端子６１ａは、図８に示す端子取付部８１に取り付けられ接地されている。アンテナ６１は、配線（ケーブル）７１の一端に接続されている。配線（ケーブル）７１は、側部平板部５４Ｂを引き回され、ヒンジ機構部２５の筒状部品２６の貫通孔２９内に挿通され、本体部３内の図示しないブルートゥース（登録商標）ユニットに接続されている。アンテナ６１の形状は、例えば略矩形状であり、無線通信の信頼性を向上させるために最適化されている。アンテナ６１は、例えばその長手方向を側部平板部５４Ｂの長手方向に沿うようにして側部平板部５４Ｂに取り付けられている。
【００４１】
ワイヤレスラン用のアンテナ６２は、側部平板部５４Ｂで表示パネル３７の上側の近くに取り付けられている。例えば側部平板部５４Ｂの高さ方向（図９のＺ方向）で上側の位置にアンテナ６２が取り付けられている。アンテナ６２は、接地用の金属端子６２ａを備える。金属端子６２ａは、図８に示す端子取付部８２に取り付けられ接地されている。アンテナ６２は、配線（ケーブル）７２の一端に接続されている。配線（ケーブル）７２は、側部平板部５４Ｂを引き回され、ヒンジ機構部２５の筒状部品２６の貫通孔２９を挿通され、本体部３内の図示しない制御ユニットに接続されている。アンテナ６２の形状は、例えば略矩形状であり、無線通信の信頼性を向上させるために最適化されている。アンテナ６２は、例えばその長手方向を側部平板部５４Ｂの長手方向に沿うようにして側部平板部５４Ｂに取り付けられている。
【００４２】
ワイヤレスラン／ワイマックス用のアンテナ６３は、上部平板部５４Ａのうち表示パネル３７の長手方向（図９のＸ方向）の一方の側に取り付けられている。例えばトップカバー３５の左上の角部付近にアンテナ６３が取り付けられている。アンテナ６３は、接地用の金属端子６３ａを備える。金属端子６３ａは、図８に示す端子取付部５３に取り付けられ接地されている。アンテナ６３は、配線（ケーブル）７３の一端に接続されている。配線（ケーブル）７３は、側部平板部５４Ｂを引き回され、ヒンジ機構部２５の筒状部品２６の貫通孔２９を挿通され、本体部３の図示しない制御ユニットに接続されている。アンテナ６３の形状は、例えば略矩形状であり、無線通信の信頼性を向上させるために最適化されている。アンテナ６３は、例えばその長手方向を上部平板部５４Ａの長手方向に沿うようにして上部平板部５４Ａに取り付けられている。
【００４３】
ワイヤレスラン／ワイマックス用のアンテナ６４は、上部平板部５４Ａのうち表示パネル３７の長手方向（図９のＸ方向）の一方の側に取り付けられている。例えばトップカバー３５のアンテナ６３の隣にアンテナ６４が取り付けられている。アンテナ６４は、接地用の金属端子６４ａを備える。金属端子６４ａは、図８に示す端子取付部５３に取り付けられ接地されている。アンテナ６４は、配線（ケーブル）７４の一端に接続されている。配線（ケーブル）７４は、上部平板部５４Ａ、側部平板部５４Ｂを引き回され、ヒンジ機構部２５の筒状部品２６の貫通孔２９を挿通され、本体部３の図示しない制御ユニットに接続されている。アンテナ６４の形状は、例えば略矩形状であり、無線通信の信頼性を向上させるために最適化されている。アンテナ６４は、例えばその長手方向を上部平板部５４Ａの長手方向に沿うようにして上部平板部５４Ａに取り付けられている。
【００４４】
ワイヤレスラン／ワイマックス用のアンテナ６３、６４により、例えば数キロメートル〜数十キロメートルの広範囲を７５Ｍｂｐｓの速度で無線通信することが可能となる。
【００４５】
カメラユニット６７は、カメラ取付部５２に取り付けられている。カメラユニット６７は、カメラ本体部６７Ａと、カメラ制御基板６７Ｂとを備える。カメラユニット６７には、配線（ケーブル）７５が接続されている。配線（ケーブル）７５は、上部平板部５４Ａ及び側部平板部５４Ｂを引き回され、ヒンジ機構部２５の筒状部品２６の貫通孔２９を挿通され、本体部３内の図示しない制御ユニットに接続されている。カメラユニット６７は、例えば上部平板部５４Ａの長手方向（図９のＸ方向）の略中央に取り付けられている。
【００４６】
ワン（メイン）用のアンテナ６５は、上部平板部５４Ａのうち表示パネル３７の長手方向（図９のＸ方向）の右側で上部平板部５４Ａに取り付けられている。例えばトップカバー３５の右上側の角部付近にアンテナ６５が取り付けられている。アンテナ６５は、接地用の金属端子６５ａを備える。金属端子６５ａは、図８に示す端子取付部８３に取り付けられ接地されている。アンテナ６５は、配線（ケーブル）７６に接続されている。配線（ケーブル）７６は、側部平板部５４Ｃを引き回され電源スイッチ１１側のヒンジ機構部８８の筒状部品の貫通孔を挿通され、本体部３内の図示しない制御ユニットに接続される。アンテナ６５の形状は、例えば略矩形状であり、無線通信の信頼性を向上させるために最適化されている。アンテナ６５は、例えばその長手方向を上部平板部５４Ａの長手方向に沿うようにして上部平板部５４Ａに取り付けられている。
【００４７】
ワン（サブ）用のアンテナ６６は、側部平板部５４Ｃに取り付けられている。アンテナ６６は、接地用の金属端子６６ａを備える。金属端子６６ａは、図８に示すトップカバー３５に取り付けられ接地されている。アンテナ６６は、配線（ケーブル）７７が接続されている。配線（ケーブル）７７は、側部平板部５４Ｃを引き回され、ヒンジ機構部８８の筒状部品の貫通孔を挿通され、本体部３内の図示しない制御ユニットに接続されている。アンテナ６６の形状は、例えば略棒形状であり、無線通信の信頼性を向上させるために最適化されている。アンテナ６６は、例えばその長手方向を上部平板部５４Ａの長手方向に沿うようにして上部平板部５４Ａに取り付けられている。
【００４８】
図１０に示すように、ＤＣジャックコネクタ部１６の端子１０１、１０２からは、ＤＣ電源供給用配線４４、アース配線４３が引き出されている。ヒンジ機構部２５は、端子１０１、１０２を避けるように、回動軸方向（図１０のＸ方向）で端子１０１、１０２の隣に配置されている。
【００４９】
＜作用＞  
このように本実施形態によれば、ヒンジ機構部２５が複数の配線（ケーブル）７１〜７４が挿通される筒状部品２６を備えるので、ヒンジ機構部２５付近で配線（ケーブル）７１〜７４等の配置スペースを確保することができ、筒状部品２６を挿通する複数の配線（ケーブル）７１〜７４等を表示部３の平板部５４に設けられた複数のアンテナ６１〜６４に接続することができる。この結果、指向性のよい表示部２側の位置に設けられた複数のアンテナ６１〜６４により、無線通信の信頼性を向上させることができる。
【００５０】
つまり、筒状部品２６を有するヒンジ機構部２５を採用することで、配線（ケーブル）７１〜７４等のシンプルなルートを確保しつつ、複数のアンテナ６１〜６４等を受信感度の良い位置に配置し、無線通信の信頼性を向上させることができる。このように、表示パネル３７の周りの平板部５４を、表示パネル２を保持し収容するだけでなく、アンテナ配置スペースとして有効に利用することができる。
【００５１】
特に、表示部２の外縁部としての平板部５４に配置するアンテナ６１等の数が増加するのに伴い、ヒンジ連結部４付近を通過させる配線（ケーブル）７１〜７４等の数が多くなる。この結果、ヒンジ連結部４付近では配線（ケーブル）７１〜７４等が密集し表示部２の開閉の繰り返しにより配線（ケーブル）７１〜７４等が損傷し易くなるおそれがあった。本実施形態では、筒状部品２６の円筒部２６Ａとフランジ部２６Ｂとの境界領域にはＲが形成されている。このため、表示部２の開閉時における配線（ケーブル）７１〜７４にかかる負荷を低減し、配線（ケーブル）７１等の破損を防止し、無線通信の信頼性を向上させることができる。
【００５２】
ヒンジ機構部８８が複数の配線（ケーブル）７６及び７７が挿通される筒状部品を備えるので、ヒンジ機構部８８付近で配線（ケーブル）７６及び７７の配置スペースを確保することができ、筒状部品を挿通する複数の配線（ケーブル）７６及び７７を表示部３の平板部５４に設けられた複数のアンテナ６５及び６６に接続することができる。この結果、受信感度の良い高い表示部２側の位置に設けられた複数のアンテナ６５及び６６により、無線通信の信頼性を向上させることができる。
【００５３】
ブルートゥース（登録商標）用のアンテナ６１は、側部平板部５４Ｂの高さ方向（図９のＺ方向）で下側の位置に取り付けられている。このため、従来のようにブルートゥース（登録商標）用のアンテナがヒンジ機構のボトム部材側に取り付けられている場合に比べて、アンテナ６１の位置をより高い位置に配置することができる。
【００５４】
つまり、ユーザが、本体部３に対して表示部２を開いた状態で電子機器１を用いるときに、ブルートゥース（登録商標）用のアンテナ６１の位置を従来より高い位置にすることができる。この結果、アンテナ６１の信号の受信感度を向上させることができる。半径１０−１００メートル程度のブルートゥース搭載機器と高速で無線通信を行うことができる。機器間に物があっても電波が届く範囲で通信が可能となる。
【００５５】
また、ブルートゥース（登録商標）用のアンテナ６１に比べて高い受信感度が要求されるワイヤレスラン用のアンテナ６２を側部平板部５４Ｂのうちのヒンジ機構部２５の近傍とは異なる位置に配置することができる。この結果、アンテナ６２の受信感度を向上させることができる。
【００５６】
ヒンジ機構部２５は、筒状部品２６と、筒状部品２６に連結されると共に本体部３側に一端が固定された本体部側連結部材２７と、筒状部品２６に回動自在に連結されると共に表示部２に一端が固定された表示部側連結部材２８とを備える。これにより、筒状部品２６を回動の軸として表示部側連結部材２８を回動することで表示部２を本体部３に対して回動させることができる。
【００５７】
表示部２の上部平板部５４Ａにカメラユニット６７が取り付けられ、カメラユニット６７には配線（ケーブル）７５が接続されており、配線（ケーブル）７５は、上部平板部５４Ａから側部平板部５４Ｂを引き回され、筒状部品２６の貫通孔２９を挿通して本体部３内に引き回される。これにより、複数のアンテナ６１〜６４に加えてカメラユニット６７が平板部５４に配置される場合にも、カメラユニット６７に接続された配線（ケーブル）７５を筒状部品２６を通過させて本体部３内に引き回すことができる。
【００５８】
本発明は以上説明した実施の形態には限定されるものではなく、種々の変形が可能である。
【００５９】
上記実施形態では、表示部２の外縁部としての平板部５４に、ブルートゥース用のアンテナ６１、ワイヤレスラン用のアンテナ６２、ワイヤレスラン／ワイマックスワン用のアンテナ６３、６４、ワン（メイン  ＷＡＮ）用のアンテナ６５、及びワンセグ用のアンテナ６６等が取り付けられる例を示した。しかし、これらのアンテナの取り付け位置は特に限定されない。例えばブルートゥース用のアンテナ６１と、ワイヤレスラン用のアンテナ６２とを共に側部平板部５４Ｂのヒンジ機構部２５からより離れた位置に取り付けるようにしてもよい。これにより、無線通信の信頼性をより向上させることができる。
【００６０】
上記実施形態では、アンテナ６１〜アンテナ６６及びカメラユニット６７が図９に示す表示部２の平板部５４の所定の位置に取り付けられる例を示した。しかし、より多くのアンテナを表示部２の平板部５４に取り付けるようにしてもよい。例えば、上部平板部５４Ａや側部平板部５４Ｃに図示しないアンテナを取り付けるようにしてもよい。これにより、より多くの通信方式に対応することができる。なお、これらのアンテナ６１やカメラユニット６７等は、必ずしも表示部２の平板部５４（上部平板部５４Ａ、側部平板部５４Ｂ及び５４Ｃ）に配置される必要はない。例えばアンテナが上部平板部５４Ａにのみに取り付けられていたり、上部平板部５４Ａ及び側部平板部５４Ｂの２つの領域に取り付けられていたり、上部平板部５４Ａ及び側部平板部５４Ｃの２つの領域に取り付けられていたりしてもよい。
【００６１】
上記実施形態では、図９に示すように側部平板部５４Ｂにアンテナ６１、６２が取り付けられ、側部平板部５４Ｃにアンテナ６６が取り付けられている例を示した。つまり、表示パネル３７の左側の側部平板部５４Ｂにより多くのアンテナを取り付ける例を示した。しかし、表示パネル３７の左右両側で同数のアンテナを取り付けるようにしてもよいし、逆に、表示パネル３７の左側より右側の側部平板部５４Ｃに多くのアンテナを取り付けるようにしてもよい。
【００６２】
筒状部品２６の貫通孔２９の直径及び回動軸方向（図１０のＸ方向）の長さＬは、配線（ケーブル）７１〜７５の数等に応じて適宜変更することが好ましい。これにより、本体部３に対して表示部２が開閉されるときに、配線（ケーブル）７１〜７５が破損したりすることをより確実に防止することができる。
【００６３】
上記実施形態では、図１０に示すように、本体部３内から引き出された配線（ケーブル）７１〜７５が、筒状部品２６の右側から貫通孔２９に挿通され筒状部品２６の左側から引き出され表示部２側に引き回される例を示した。しかし、本体部３内から引き出された配線（ケーブル）が、筒状部品２６の左側から貫通孔２９に挿通され筒状部品２６の右側から引き出され表示部２側に引き回されるようにしてもよい。このように配線（ケーブル）の挿通される方向を適宜変更することで、より配線スペースを効率良く利用することができる。
【００６４】
上記実施形態では、ブルートゥース用のアンテナ６１、ワイヤレスラン用のアンテナ６２がそれぞれ１個、ワイヤレスラン／ワイマックスワン用のアンテナ６３、６４が２個、ワン用のアンテナ６５が１個及びワンセグ用のアンテナ６６が１個の例を示した。しかし、アンテナの種類、数、取り付け位置などは、特に限定されず、適宜変更可能である。
【図面の簡単な説明】
【００６５】
【図１】本発明の一実施形態に係る電子機器の開いた状態の斜視図である。
【図２】図１に示す電子機器の閉じた状態の斜視図である。
【図３】図１に示す電子機器のＤＣジャック部付近の部分斜視図である。
【図４】図１に示す電子機器のＤＣジャック部付近の部分斜視図である。
【図５】電子機器のＤＣジャック部のキャップ部材を外した状態の部分斜視図である。
【図６】図３に示す電子機器のＡ−Ａ断面図である。
【図７】電子機器のヒンジ機構部の六面図である。
【図８】表示部の分解斜視図である。
【図９】表示部から図８に示すベゼルを取り外した状態の斜視図である。
【図１０】ヒンジ機構部の付近の拡大斜視図である。
【符号の説明】
【００６６】
１  電子機器
２  表示部
３  本体部
４  ヒンジ連結部
２３、７１、７２、７３、７４、７５、７６，７７  配線（ケーブル）
２５、８８  ヒンジ機構部
２６  筒状部品
２７  本体部側連結部材
２８  表示部側連結部材
３７  表示パネル
３９  外枠
５４  平板部
５４Ａ  上部平板部
５４Ｂ、５４Ｃ  側部平板部
６１、６２、６３、６４、６５、６６  アンテナ
６７  カメラユニット
【図１】
2010066904.tif 000003
【図２】
2010066904.tif 000004
【図３】
2010066904.tif 000005
【図４】
2010066904.tif 000006
【図５】
2010066904.tif 000007
【図６】
2010066904.tif 000008
【図７】
2010066904.tif 000009
【図８】
2010066904.tif 000010
【図９】
2010066904.tif 000011
【図１０】
2010066904.tif 000012